【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
ウェブページと複数の項目を有するデータコンテナとの間の対話方法であって、
前記ウェブページに表示されるコンテナを選択するステップと、
前記ウェブページに、より大きな形式で前記コンテナを表示するステップと、
前記ウェブページの前記コンテナ中の項目を拡大するステップと、
前記コンテナの少なくとも１つの項目に追加選択肢を表示するステップと、
認証が提示されている場合、前記コンテナの項目の操作を可能にするステップと、含む方法。
【請求項２】
前記コンテナ中の項目を拡大するステップが更に、項目に関連する追加データを表示するステップを含むことを特徴とする請求項１記載の方法。
【請求項３】
前記コンテナの少なくとも１つの項目に追加選択肢を表示するステップが、ユーザーに前記コンテナ中の項目を追加、削除、変更するためのオーサリングツールの使用を可能にするステップを含むことを特徴とする請求項１記載の方法。
【請求項４】
更に、認証が取得されている場合、前記コンテナを複製し、前記コンテナが変更されることを可能にするステップを含む請求項１記載の方法。
【請求項５】
前記コンテナがカードとして表示され、前記カード上の項目が前記カード上の画像として表示されることを特徴とする請求項１記載の方法。
【請求項６】
前記ウェブページの前記コンテナ中の項目を拡大するステップが、
前記カードを選択するステップと、
前記ウェブページの前記カードに前記画像のより大きなバージョンを表示するステップと、
前記画像に関連する追加情報を表示するステップと、を含むことを特徴とする請求項５記載の方法。
【請求項７】
更に、適切な認証が得られた場合、前記コンテナ上の項目を追加、削除、又は変更するための選択肢を表示するステップを含む請求項６記載の方法。
【請求項８】
前記ウェブページ上の前記コンテナ中の項目を拡大するステップが更に、
ネットワークと通信するステップと、
前記コンテナ中のメディアデータに関連する更新データを取得するステップと、
前記更新データを前記コンテナに転送するステップと、
前記更新データを前記コンテナ中の項目として表示するステップと、含む請求項１記載の方法。
【請求項９】
更に、
ネットワークに前記コンテナをストアするステップと、
作者とは別のユーザーが前記コンテナにアクセスすることを可能にするステップと、
前記作者による変更が前記コンテナに実行されるとき、前記変更を前記ネットワークにストアするステップと、
別の所有者が前記ネットワークに接続したとき、前記変更を前記コンテナの別の所有者に配布するステップと、を含む請求項８記載の方法。
【請求項１０】
前記変更が、前記作者によってオフラインで実行され、当該変更が実行された装置が前記ネットワークと通信するとき、前記ネットワークにストアされることを特徴とする請求項９記載の方法。
【請求項１１】
前記コンテナがネットワークにストアされていて、ユーザーが複数のコンテナ間で前記コンテナを検索できることを特徴とする請求項１記載の方法。
【請求項１２】
ユーザーが、前記コンテナがカードのように及びウェブページのように見えるものを設計することを特徴とする請求項１記載の方法。
【請求項１３】
ウェブページとデータコンテナとの間の対話をコントロールするための計算機実行可能命令を含む計算機記憶媒体であって、
前記ウェブページに表示されるコンテナを選択するステップと、
前記ウェブページに、より大きな形式で前記コンテナを表示するステップと、
前記ウェブページの前記コンテナ中の項目を拡大するステップであって、前記コンテナ中の項目を拡大するステップが更に、項目に関連する追加データを表示するステップを含むものと、
前記コンテナの少なくとも１つの項目に追加選択肢を表示するステップであって、前記コンテナの少なくとも１つの項目に追加選択肢を表示するステップが、前記コンテナ中の項目を追加、削除、変更するためのオーサリングツールを、ユーザーが使用することを可能にするステップを含むものと、
認証が提示されている場合、前記コンテナの項目の操作を可能にするステップと、に関する計算機実行可能命令を含む計算機記憶媒体。
【請求項１４】
前記コンテナがカードとして表示され、前記カード上の項目が前記カード上の画像として表示され、前記ウェブページ上の前記コンテナ中の項目を拡大するステップが、
前記カードを選択するステップと、
前記ウェブページの前記カードに前記画像のより大きなバージョンを表示するステップと、
前記画像に関連する追加情報を表示するステップと、を含むことを特徴とする請求項１３記載の計算機記憶媒体。
【請求項１５】
前記ウェブページの前記コンテナ中の項目を拡大するステップが更に、
ネットワークと通信するステップと、
前記コンテナ中のメディアデータに関連する更新データを取得するステップと、
前記更新データを前記コンテナに転送するステップと、
前記更新データを前記コンテナ中の項目として表示するステップと、含むことを特徴とする請求項１３記載の計算機記憶媒体。
【請求項１６】
更に、
ネットワークに前記コンテナをストアするステップと、
作者とは別のユーザーが前記コンテナにアクセスすることを可能にするステップと、
前記作者による変更が前記コンテナに実行されたとき、前記変更をネットワークにストアするステップと、
別の所有者が前記ネットワークに接続したとき、前記変更を前記コンテナの別の所有者に配布するステップと、に関する計算機実行可能命令を含む請求項１３の計算機記憶媒体。
【請求項１７】
前記変更が、作者によってオフラインで実行され、当該変更が実行された装置が前記ネットワークと通信するとき、前記ネットワークにストアされることを特徴とする請求項１３記載の計算機記憶媒体。
【請求項１８】
計算機実行可能命令を実行するように物理的に構成されるプロセッサーと、計算機実行可能命令をストアし、処理する支援をするためのメモリーと、及び入力／出力回路を含む計算機システムであって、前記計算機実行可能命令が、
ウェブページに表示されるコンテナを選択するステップと、
前記ウェブページに、より大きな形式で前記コンテナを表示するステップと、
前記ウェブページの前記コンテナ中の項目を拡大するステップであって、前記ウェブページの前記コンテナ中の項目を拡大するステップが更に、
ネットワークと通信するステップと、
前記コンテナ中のメディアデータに関連する更新データを取得するステップと、
前記更新データを前記コンテナに転送するステップと、
前記更新データを前記コンテナ中の項目として表示するステップと、を含むものと、
前記コンテナの少なくとも１つの項目に追加選択肢を表示するステップであって、前記コンテナの少なくとも１つの項目に追加選択肢を表示するステップが、前記コンテナ中の項目を追加、削除、変更するためのオーサリングツールを、ユーザーが使用することを可能にするステップを含むものと、
認証が提示されている場合、前記コンテナ中の項目の操作を可能にするステップと、に関する命令を含むことを特徴とする計算機システム。
【請求項１９】
前記コンテナがカードとして表示され、前記カード上の項目が前記カード上の画像として表示され、前記ウェブページ上の前記コンテナ中の項目を拡大するステップが、
前記カードを選択するステップと、
前記ウェブページの前記カードに前記画像のより大きなバージョンを表示するステップと、
前記画像に関連する追加情報を表示するステップと、含むことを特徴とする請求項１８記載の計算機システム。
【請求項２０】
更に、
ネットワークに前記コンテナをストアするステップと、
作者とは別のユーザーが前記コンテナにアクセスすることを可能にするステップと、
前記作者による変更が前記コンテナに実行されたとき、前記変更を前記ネットワークにストアするステップと、
別の所有者が前記ネットワークに接続したとき、前記変更を前記コンテナの別の所有者に配布するステップに関する計算機実行可能命令を含む請求項１８の計算機システム。
【手続補正２】
【補正対象書類名】明細書
【補正対象項目名】０００７
【補正方法】変更
【補正の内容】
【０００７】
【図１】コンテナの例示である。
【図２】データコンテナを生成する方法の流れ図である。
【図３】コンテナに関連する動作に関するネットワークアーキテクチャの図である。
【図４】ウェブページにコンテナを表示する方法の流れ図である。
【図５】コンテナデータを更新する方法の流れ図である。
【図６】ウェブサイト上に拡大されたコンテナの例示である。